(57)【要約】【課題】装置間の電路の通電が維持された状態で当該電路が有する開閉器の故障を検知する。【解決手段】開閉システム１は、各々が直列接続された複数の開閉器ＳＷを有する並列接続された複数の電路Ｒを有する並列電路ＲＳと、複数の開閉器ＳＷの中から順次１つずつ点検対象の開閉器ＳＷを選択し、選択した点検対象の開閉器ＳＷに開閉を指示し、開閉を指示した開閉器ＳＷを有する電路Ｒから出力されるフィードバック信号ＦＢに基づき開閉を指示した開閉器ＳＷの故障を検知する検知装置１１を備える。【選択図】図１
2018092822.tif 000002
【特許請求の範囲】
【請求項１】
各々が開閉器を有する並列接続された複数の電路のうち１以上の電路の通電を維持しながら他の電路の開閉器に開閉を指示し、前記他の電路の通電状態に基づいて開閉器の故障を検知する開閉システム。
【請求項２】
前記検知を行う検知装置と、前記検知装置から所定の信号を所定の時間間隔で受け取れない場合、前記複数の電路の各々の開閉器に開放を指示する指示装置とを備える
請求項１に記載の開閉システム。
【請求項３】
前記複数の電路の各々が複数の開閉器を有し、前記開閉の指示において前記他の電路の各々の１以上の開閉器に開閉を指示する
請求項１に記載の開閉システム。
【請求項４】
いずれかの開閉器の故障を検知した場合、前記複数の電路の各々の１以上の開閉器に開放を指示する
請求項３に記載の開閉システム。
【請求項５】
いずれかの開閉器の故障を検知した後、前記複数の電路のうち故障の検知された開閉器を有する電路を除く複数の電路において前記開閉の指示及び前記故障の検知を行う
請求項３に記載の開閉システム。
【請求項６】
前記検知を行う検知装置と、前記検知装置から所定の信号を所定の時間間隔で受け取れない場合、前記複数の電路の各々の１以上の開閉器に開放を指示する指示装置とを備える
請求項３乃至５のいずれか１項に記載の開閉システム。
【発明の詳細な説明】
【技術分野】
【０００１】
本発明は、開閉器の故障を検知する技術に関する。
【背景技術】
【０００２】
電路を開閉する開閉器が故障すると、必要な際に電路が開閉できない、という不都合が生じる。従って、ユーザが知らぬ間に発生する開閉器の故障を可能な限り速やかに検知したい、というニーズがある。
【０００３】
開閉器の故障を検知する技術を開示している特許文献として、例えば特許文献１がある。特許文献１には、第１スイッチの負荷側に当該負荷側から第１スイッチに流れる電流を阻止する第１整流素子を直列に接続し、これらの直列回路に対して第２スイッチを並列的に接続し、更に第１スイッチ及び第１整流素子の接続点と接地電位との間に第１抵抗器を接続したスイッチ診断装置が記載されている。特許文献１に記載のスイッチ診断装置は、先に第２スイッチをオンにし、次に第１スイッチをオフ及びオンにし、オフ及びオンにした夫々の場合について第１抵抗器に生じた電圧を検出し、検出した電圧に基づいて第１スイッチがオフ及びオンに変化したか否かを判定する。
【先行技術文献】
【特許文献】
【０００４】
【特許文献１】特開２０１５−９５４４２号公報
【発明の概要】
【発明が解決しようとする課題】
【０００５】
第１の装置から第２の装置に電力または電気信号を供給する仕組みにおいて、非常時等にこれらの装置間の通電を遮断したい場合がある。この場合、第１の装置と第２の装置の間に、これらの装置間の電路を開閉する開閉器を配置し、通常時には当該開閉器を閉止状態で維持し、非常時等には当該開閉器を開放する、という仕組みが広く採用されている。
【０００６】
上記の仕組みにおいて、開閉器を閉止状態から開放状態に切り替えることができなくなる故障（短絡故障）が発生すると、非常時等に第１の装置から第２の装置への電力または電気信号を遮断することができなくなる。例えば、非常時に第２の装置への電力の供給が速やかに遮断されなければならない場合、開閉器の短絡故障により電路が開放できなければ、第２の装置が運転し続けて、深刻な事故を招く危険性がある。従って、上記の仕組みにおいても、ユーザが知らぬ間に発生する開閉器の故障を可能な限り速やかに検知したい、というニーズがある。
【０００７】
上記の仕組みにおいて、開閉器の故障を点検するために開閉器を閉止状態から開放状態に切り替えると、第２の装置への電力または電気信号の供給が中断される。従って、開閉器の故障の点検を行うためには、第２の装置の運転を一時停止する必要がある。すなわち、開閉器の故障の点検を実施可能なタイミングは、第２の装置の運転を停止可能なタイミングに限られる。従って、開閉器の故障の点検を必要な頻繁で行うことは困難である。
【０００８】
上記の事情に鑑み、本発明は、装置間の電路の通電が維持された状態で当該電路が有する開閉器の故障を検知する手段を提供することを目的とする。
【課題を解決するための手段】
【０００９】
上述した課題を解決するために、本発明は、各々が開閉器を有する並列接続された複数の電路のうち１以上の電路の通電を維持しながら他の電路の開閉器に開閉を指示し、前記他の電路の通電状態に基づいて開閉器の故障を検知する開閉システム、を第１の態様として提供する。
【００１０】
第１の態様の開閉システムによれば、装置間の電路の通電が維持された状態で当該電路が有する開閉器の故障が検知される。
【００１１】
上記の第１の態様の開閉システムにおいて、前記検知を行う検知装置と、前記検知装置から所定の信号を所定の時間間隔で受け取れない場合、前記複数の電路の各々の開閉器に開放を指示する指示装置とを備える、という構成が第２の態様として採用されてもよい。
【００１２】
第２の態様の開閉システムによれば、開閉器の故障を検知する検知装置が故障した場合に、装置間の電路が開放される。
【００１３】
上記の第１の態様の開閉システムにおいて、前記複数の電路の各々が複数の開閉器を有し、前記開閉の指示において前記他の電路の各々の１以上の開閉器に開閉を指示する、という構成が第３の態様として採用されてもよい。
【００１４】
第３の態様の開閉システムによれば、装置間の電路の通電が維持された状態で当該電路が有する開閉器の故障が検知される。また、いずれかの開閉器に故障が発生した場合でも、装置間の電路の開放が可能である。
【００１５】
上記の第３の態様の開閉システムにおいて、いずれかの開閉器の故障を検知した場合、前記複数の電路の各々の１以上の開閉器に開放を指示する、という構成が第４の態様として採用されてもよい。
【００１６】
第４の態様の開閉システムによれば、いずれかの開閉器に故障が発生した場合、装置間の電路が開放される。
【００１７】
上記の第３の態様の開閉システムにおいて、いずれかの開閉器の故障を検知した後、前記複数の電路のうち故障の検知された開閉器を有する電路を除く複数の電路において前記開閉の指示及び前記故障の検知を行う、という構成が第５の態様として採用されてもよい。
【００１８】
第５の態様の開閉システムによれば、いずれかの開閉器に故障が発生した場合でも、複数の電路のうち故障した開閉器を有する電路を除く複数の電路に関し、装置間の電路の通電が維持された状態で当該電路が有する開閉器の故障の検知が継続される。
【００１９】
上記の第３乃至第５のいずれか１の態様の開閉システムにおいて、前記検知を行う検知装置と、前記検知装置から所定の信号を所定の時間間隔で受け取れない場合、前記複数の電路の各々の１以上の開閉器に開放を指示する指示装置とを備える、という構成が第６の態様として採用されてもよい。
【００２０】
第６の態様の開閉システムによれば、開閉器の故障を検知する検知装置が故障した場合に、装置間の電路が開放される。
【図面の簡単な説明】
【００２１】
【図１】一実施形態にかかる開閉システムの構成を示す図。
【図２】一実施形態にかかる検知装置と指示装置のハードウェア構成を示すブロック図。
【図３】一実施形態にかかる検知処理の流れ図。
【図４】一変形例にかかる開閉システムの構成を示すブロック図。
【図５Ａ】一変形例にかかる検知処理の流れ図。
【図５Ｂ】一変形例にかかる検知処理の流れ図。
【発明を実施するための形態】
【００２２】
［第１実施形態］
本発明の一実施形態について説明する。図１は、開閉システム１の構成を示す図である。開閉システム１は、入力側装置２と出力側装置３の間に電気的に接続され、通常時に入力側装置２から出力側装置３へ供給される電力または電気信号を、非常時等に遮断する役割を果たす。以下の説明において、入力側装置２は電源装置であり、出力側装置３は入力側装置２から供給される電力により運転する装置であるものとする。ただし、入力側装置２が所定の電気信号を出力側装置３に供給し、出力側装置３が入力側装置２から供給される電気信号に応じた動作を行う装置であってもよい。
【００２３】
開閉システム１は、複数の電路Ｒ（ｉ）（ｉ＝１，２，…，ｎ（ｎ≧２））と、検知装置１１と、指示装置１２を備える。複数の電路Ｒ（ｉ）は並列接続され、共通の入力端ＩＮと共通の出力端ＯＵＴを有する。以下、並列接続された複数の電路Ｒ（ｉ）を「並列電路ＲＳ」という。
【００２４】
複数の電路Ｒ（ｉ）の各々は、開閉器ＳＷ（ｉ，ｊ）（ｉ＝１，２，…，ｎ（ｎ≧２），ｊ＝１，２，…，ｍ（ｍ≧１））を有する。開閉器ＳＷ（ｉ，ｊ）の方式は限定されない。すなわち、開閉器ＳＷ（ｉ，ｊ）は、電磁リレー（メカニカルリレー、有接点リレー）、半導体リレー（ソリッドステートリレー、無接点リレー）等のいかなる方式の開閉器であってもよい。ｍが２以上の場合、すなわち電路Ｒ（ｉ）の各々が複数の開閉器ＳＷ（ｉ，ｊ）を有する場合、図１に例示されるように、電路Ｒ（ｉ）の各々において複数の開閉器ＳＷ（ｉ，ｊ）は直列接続される。
【００２５】
並列電路ＲＳが有する複数の電路Ｒ（ｉ）のうちの１以上の通電が維持される限り、入力側装置２と出力側装置３の間の通電は維持される。その際、入力側装置２から出力側装置３へ供給される電力の電圧は、通電している電路Ｒ（ｉ）の数にかかわらず一定である。一方、並列電路ＲＳが有する全ての電路Ｒ（ｉ）の通電が遮断されると、入力側装置２と出力側装置３の間の通電は遮断される。
【００２６】
複数の電路Ｒ（ｉ）の各々から検知装置１１には、フィードバック信号ＦＢ（ｉ）（ｉ＝１，２，…，ｎ（ｎ≧２））が出力される。フィードバック信号ＦＢ（ｉ）は、複数の電路Ｒ（ｉ）の各々の開閉器ＳＷ（ｉ，ｍ）（最も出力側の開閉器ＳＷ（ｉ，ｊ））と出力端ＯＵＴとの間の電圧を示す。電路Ｒ（ｐ）（ｐは１〜ｎのうちの任意の自然数）のフィードバック信号ＦＢ（ｐ）は、電路Ｒ（ｐ）が有する全ての開閉器ＳＷ（ｐ，ｊ）が閉止されているとＯＮを示し、電路Ｒ（ｐ）が有する少なくとも１つの開閉器ＳＷ（ｐ，ｊ）が開放されているとＯＦＦを示す。
【００２７】
図２は、検知装置１１と指示装置１２のハードウェア構成を示すブロック図である。検知装置１１は、演算部１１１、記憶部１１２、入出力ＩＦ（Interface）部１１３及びＵＩ（User Interface）部１１４を備える。記憶部１１２は、例えばハードディスクドライブ等の記憶装置を備え、プログラムやデータを記憶する。演算部１１１は、プロセッサと、データ処理におけるワークエリアとして用いられるメモリを備え、記憶部１１２に記憶されたプログラムに従い各種データ処理を実行する。
【００２８】
入出力ＩＦ部１１３は、複数の電路Ｒ（ｉ）の各々に対応する複数の入力端子Ｔ（ｉ）（ｉ＝１，２，…，ｎ（ｎ≧２））を備え、複数の電路Ｒ（ｉ）の各々から出力されるフィードバック信号ＦＢ（ｉ）が対応する入力端子Ｔ（ｉ）に入力される。演算部１１１は、入力端子Ｔ（ｉ）の各々に入力されるフィードバック信号ＦＢ（ｉ）により、複数の電路Ｒ（ｉ）の各々の通電状態を特定する。すなわち、演算部１１１は、フィードバック信号ＦＢ（ｐ）（ｐは１〜ｎのうちの任意の自然数）がＯＮを示せば電路Ｒ（ｐ）は通電しており、フィードバック信号ＦＢ（ｐ）がＯＦＦを示せば電路Ｒ（ｐ）は通電していない、と判定する。
【００２９】
演算部１１１は、入出力ＩＦ部１１３を介して複数の開閉器ＳＷ（ｉ，ｊ）の各々にＯＮ指示信号又はＯＦＦ指示信号を出力する。ＯＮ指示信号は、開閉器ＳＷ（ｉ，ｊ）に対し閉止を指示する信号であり、ＯＦＦ指示信号は開閉器ＳＷ（ｉ，ｊ）に対し閉止を指示する信号である。
【００３０】
ＵＩ部１１４は、例えばディスプレイの表示面にタッチパネルが積層されたタッチディスプレイを備え、各種情報を表示するとともにユーザによる操作を受け付ける。なお、ＵＩ部１１４が検知装置１１の本体から分離された装置として構成され、入出力ＩＦ部１１３にＵＩ部１１４が接続されてもよい。
【００３１】
検知装置１１は、複数の開閉器ＳＷ（ｉ，ｊ）の各々に異なるタイミングで開閉を指示するとともに、フィードバック信号ＦＢ（ｉ）が示す電路Ｒ（ｉ）の通電状態を監視し、当該通電状態の変化の有無に基づき開閉を指示した開閉器ＳＷ（ｉ，ｊ）の故障を検知する。以下、検知装置１１が開閉器ＳＷ（ｉ，ｊ）の故障を検知するために行う処理を「検知処理」という。図３は、検知処理の流れ図である。以下に、検知処理の流れを説明する。
【００３２】
検知処理は、例えば、ユーザによるＵＩ部１１４に対する開始操作に応じて開始される。検知処理の開始に伴い、まず、演算部１１１は全ての開閉器ＳＷ（ｉ，ｊ）に閉止を指示する（ステップＡ０１）。具体的には、演算部１１１は全ての開閉器ＳＷ（ｉ，ｊ）にＯＮ指示信号を出力する。ＯＮ指示信号を受けた開閉器ＳＷ（ｉ，ｊ）は各々、閉止動作を行う。なお、ＯＮ指示信号を受けた時点で既に閉止している開閉器ＳＷ（ｉ，ｊ）は、その閉止状態を維持する。これにより、並列電路ＲＳは全ての開閉器ＳＷ（ｉ，ｊ）を閉止した状態となる。
【００３３】
続いて、演算部１１１は開閉器ＳＷ（ｉ，ｊ）を選択するためのカウンタｐ及びカウンタｑに初期値１を設定する（ステップＡ０２）。カウンタｐは複数の電路Ｒ（ｉ）の中から第ｐ番目の電路、すなわち電路Ｒ（ｐ）を選択するためのカウンタである。カウンタｑは電路Ｒ（ｐ）が有する１以上の開閉器ＳＷ（ｐ，ｊ）の中から第ｑ番目の開閉器、すなわち開閉器ＳＷ（ｐ，ｑ）を選択するためのカウンタである。
【００３４】
続いて、演算部１１１は開閉器ＳＷ（ｐ，ｑ）に開放を指示する（ステップＡ０３）。具体的には、演算部１１１は開閉器ＳＷ（ｐ，ｑ）にＯＦＦ指示信号を出力する。開閉器ＳＷ（ｐ，ｑ）はＯＦＦ指示信号を受けて開放動作を行う。
【００３５】
続いて、演算部１１１はステップＡ０３において開放を指示した開閉器ＳＷ（ｐ，ｑ）を有する電路Ｒ（ｐ）に対応するフィードバック信号ＦＢ（ｐ）に基づき、開放を指示した開閉器ＳＷ（ｐ，ｑ）の故障（この場合、短絡故障）を検知する（ステップＡ０４）。具体的には、演算部１１１は、フィードバック信号ＦＢ（ｐ）がＯＦＦを示せば開閉器ＳＷ（ｐ，ｑ）は故障していないと判定し、フィードバック信号ＦＢ（ｐ）がＯＮを示せば開閉器ＳＷ（ｐ，ｑ）は故障していると判定する。
【００３６】
ステップＡ０４において開閉器ＳＷ（ｐ，ｑ）の故障が検知された場合（ステップＡ０４：ＹＥＳ）、演算部１１１は全ての開閉器ＳＷ（ｉ，ｊ）に開放を指示する（ステップＢ０１）。具体的には、演算部１１１は全ての開閉器ＳＷ（ｉ，ｊ）にＯＦＦ指示信号を出力する。ＯＦＦ指示信号を受けた開閉器ＳＷ（ｉ，ｊ）は各々、開放動作を行う。
【００３７】
ステップＢ０１の処理は、複数の開閉器ＳＷ（ｉ，ｊ）のいずれかに故障が発生した場合、入力側装置２から出力側装置３に対する電力供給を遮断する処理である。出力側装置３は、電力供給が遮断されると安全側の動作を行うように設計されている。従って、複数の開閉器ＳＷ（ｉ，ｊ）のいずれかに故障が発生した場合、出力側装置３は安全側の動作を行い、安全が確保される。
【００３８】
続いて、検知装置１１は演算部１１１による故障の検知結果を出力する（ステップＢ０２）。本実施形態においては、ステップＢ０２において、ＵＩ部１１４が、故障の検知された開閉器ＳＷ（ｉ，ｊ）をユーザに通知するための表示を行う。なお、ＵＩ部１１４が行う表示の形式は、例えば並列電路ＲＳの図上に故障の検知された開閉器を図示する形式、「○○番の開閉器が故障しています。」等のテキストを表示する形式等のいずれであってもよい。
【００３９】
検知装置１１は、ステップＢ０２を実行した後、一連の検知処理を終了する。
【００４０】
ステップＡ０４において開閉器ＳＷ（ｐ，ｑ）の故障が検知されなかった場合（ステップＡ０４：ＮＯ）、演算部１１１は開閉器ＳＷ（ｐ，ｑ）に閉止を指示する（ステップＡ０５）。具体的には、演算部１１１は開閉器ＳＷ（ｐ，ｑ）にＯＮ指示信号を出力する。開閉器ＳＷ（ｐ，ｑ）はＯＮ指示信号を受けて閉止動作を行う。
【００４１】
続いて、演算部１１１はステップＡ０５において閉止を指示した開閉器ＳＷ（ｐ，ｑ）を有する電路Ｒ（ｐ）に対応するフィードバック信号ＦＢ（ｐ）に基づき、閉止を指示した開閉器ＳＷ（ｐ，ｑ）の故障（この場合、開放故障）を検知する（ステップＡ０６）。具体的には、演算部１１１は、フィードバック信号ＦＢ（ｐ）がＯＮを示せば開閉器ＳＷ（ｐ，ｑ）は故障していないと判定し、フィードバック信号ＦＢ（ｐ）がＯＦＦを示せば開閉器ＳＷ（ｐ，ｑ）は故障していると判定する。
【００４２】
ステップＡ０６において開閉器ＳＷ（ｐ，ｑ）の故障が検知された場合（ステップＡ０６：ＹＥＳ）、検知装置１１はステップＢ０１及びＢ０２の処理を行い、一連の検知処理を終了する。
【００４３】
ステップＡ０６において開閉器ＳＷ（ｐ，ｑ）の故障が検知されなかった場合（ステップＡ０６：ＮＯ）、演算部１１１はその時点のカウンタｐがｎ（電路の数）であるかを判定する（ステップＡ０７）。ステップＡ０７の処理は、その時点で故障の点検の対象として選択されている開閉器ＳＷ（ｐ，ｑ）が、最後の電路（ｎ）が有する開閉器ＳＷ（ｎ，ｑ）であるかを判定する処理である。
【００４４】
ステップＡ０７においてカウンタｐがｎでないと判定した場合（ステップＡ０７：ＮＯ）、演算部１１１はカウンタｐに１を加算する（ステップＡ０８）。その後、検知装置１１はステップＡ０３以降の処理を繰り返す。ステップＡ０８の処理は、その時点で選択されていた開閉器ＳＷ（ｐ，ｑ）の、図１において一つ下側に位置する開閉器を新たな開閉指示の対象として選択するための処理である。
【００４５】
ステップＡ０７においてカウンタｐがｎであると判定した場合（ステップＡ０７：ＹＥＳ）、演算部１１１はその時点のカウンタｐがｍ（各電路が有する開閉器の数）であるかを判定する（ステップＡ０９）。ステップＡ０９の処理は、その時点で故障の点検の対象として選択されている開閉器ＳＷ（ｎ，ｑ）が、最後の電路（ｎ）が有する最後の開閉器ＳＷ（ｎ，ｍ）であるかを判定する処理である。
【００４６】
ステップＡ０９においてカウンタｑがｍでないと判定した場合（ステップＡ０９：ＮＯ）、演算部１１１はカウンタｐに１を設定し、また、カウンタｑに１を加算する（ステップＡ１０）。その後、検知装置１１はステップＡ０３以降の処理を繰り返す。ステップＡ１０の処理は、最初の電路（１）が有する開閉器ＳＷ（１，ｊ）のうち、その時点で選択されていた開閉器ＳＷ（ｎ，ｑ）の一つ右側に位置する開閉器を新たな開閉指示の対象として選択するための処理である。
【００４７】
ステップＡ０９においてカウンタｑがｍであると判定した場合（ステップＡ０９：ＹＥＳ）、演算部１１１はカウンタｐに１を、また、カウンタｑに１を設定する（ステップＡ１１）。その後、検知装置１１はステップＡ０３以降の処理を繰り返す。ステップＡ１１の処理は、最初の電路（１）が有する最初の開閉器ＳＷ（１，１）を新たな開閉指示の対象として選択するための処理である。
【００４８】
以上が、検知装置１１が行う検知処理の流れである。上述した検知処理によれば、複数の開閉器ＳＷ（ｉ，ｊ）の中から順次、１つずつ開閉器が巡回的に選択され、選択された開閉器の故障（短絡故障及び開放故障）の有無が点検される。それらの点検の際、常に入力側装置２と出力側装置３はいずれかの電路により通電しているため、いずれかの開閉器に故障が生じない限り、出力側装置３の運転が停止されることはない。従って、出力側装置３の運転の停止の可否にかかわらず、必要な頻度で開閉器の故障の点検が行われる。
【００４９】
なお、上述した検知処理の説明において、点検対象の開閉器の切り替えの頻度、例えば、ある開閉器を対象としたステップＡ０４の処理を行った後、次の開閉器を対象としたステップＡ０４の処理を行うまでの時間は、適宜設定されてよい。
【００５０】
上述した検知処理は検知装置１１により実行される。従って、検知装置１１が故障すれば開閉器ＳＷ（ｉ，ｊ）の故障の検知が行われず、いずれかの開閉器に故障が発生していてもその故障が見過ごされる危険性がある。開閉システム１が備える指示装置１２は、そのような不都合を回避するため、検知装置１１の故障を検知し、検知装置１１の故障を検知した場合、入力側装置２と出力側装置３の間の通電を遮断するための処理を行う。
【００５１】
図２を参照しつつ、指示装置１２の構成を説明する。検知装置１１の演算部１１１は、入出力ＩＦ部１１３を介して指示装置１２に対し、所定の時間間隔で所定の信号Ｓを出力する。
【００５２】
指示装置１２は、演算部１２１、記憶部１２２、入出力ＩＦ部１２３及び表示部１２４を備える。記憶部１２２は、例えばハードディスクドライブ等の記憶装置を備え、プログラムやデータを記憶する。演算部１２１は、プロセッサと、データ処理におけるワークエリアとして用いられるメモリを備え、記憶部１２２に記憶されたプログラムに従い各種データ処理を実行する。
【００５３】
入出力ＩＦ部１２３には、検知装置１１から所定の時間間隔で出力される信号Ｓが入力される。演算部１２１は、入出力ＩＦ部１２３を介して最新の信号Ｓを受け取った後の経過時間を計時し、経過時間が閾値に達するまでに次の信号Ｓが受け取れなかった場合には、検知装置１１が故障していると判定する。
【００５４】
指示装置１２は、検知装置１１の故障を検知した場合、入出力ＩＦ部１２３を介して、全ての開閉器ＳＷ（ｉ，ｊ）に対し開放を指示する。具体的には、指示装置１２は全ての開閉器ＳＷ（ｉ，ｊ）にＯＦＦ指示信号を出力する。開閉器ＳＷ（ｉ，ｊ）の各々は指示装置１２から出力されたＯＦＦ指示信号を受け取ると、開放動作を行う。その結果、入力側装置２と出力側装置３の間の通電が遮断される。
【００５５】
表示部１２４は各種情報を表示する。なお、表示部１２４が指示装置１２の本体から分離された装置として構成され、入出力ＩＦ部１２３に表示部１２４が接続されてもよい。演算部１２１により検知装置１１の故障が検知された場合、表示部１２４は検知装置１１の故障をユーザに通知するための表示を行う。例えば、表示部１２４は、「開閉器の故障検知機能が停止しています。」等のテキストを表示する。
【００５６】
上述した開閉システム１によれば、ユーザの知らぬ間にいずれかの開閉器が故障し、必要なときに通電の開閉が正しく行われない、という不都合が回避される。
【００５７】
［変形例］
上述した実施形態は本発明の技術的思想の範囲内において様々に変形されてもよい。以下にそれらの変形の例を示す。なお、これらの変形例は適宜組み合わせられてもよい。
【００５８】
［変形例１］
上述した実施形態においては、検知装置１１及び指示装置１２の機能は、プロセッサがプログラムに従うデータ処理を行うことにより実現される。これに代えて、検知装置１１及び指示装置１２の少なくとも一方が、上述した機能をハードウェアにより実現する、いわゆる専用装置として構成されてもよい。
【００５９】
図４は、ハードウェアにより実現される指示装置１２を備える開閉システム１の構成例を示したブロック図である。なお、図４は、開閉システム１が備える電路Ｒ（ｉ）の数が２つ（すなわち、ｎ＝２）、それらの電路Ｒ（ｉ）の各々が有する開閉器ＳＷ（ｉ，ｊ）の数が２つ（すなわち、ｍ＝２）である場合を例示している。
【００６０】
図４に示す変形例にかかる開閉システム１において、指示装置１２は複数の開閉器ＳＷ（ｉ，ｊ）の各々に対応するタイマＴＭ（ｉ，ｊ）を有する。複数のタイマＴＭ（ｉ，ｊ）の各々は、検知装置１１から最後にＯＦＦ指示信号の入力を受け取った後、所定時間Ｔ１が経過すると、対応する開閉器ＳＷ（ｉ，ｊ）に対しＯＦＦ指示信号を出力する。
【００６１】
検知装置１１は、所定時間Ｔ２の経過毎に、例えば、開閉器ＳＷ（１，１）、開閉器ＳＷ（２，１）、開閉器ＳＷ（１，２）、開閉器ＳＷ（２，２）、開閉器ＳＷ（１，１）、・・・というように、４つの開閉器の中から巡回的に１つずつ開閉器を選択し、選択した開閉器及び当該開閉器に対応するタイマにＯＦＦ指示信号を出力した後、ＯＮ指示信号を出力する。
【００６２】
なお、タイマが開閉器に対しＯＦＦ指示信号を出力するための所定時間Ｔ１と、検知装置１１が開閉器の選択を行う間隔である所定時間Ｔ２の間には、Ｔ１＝Ｔ２×４＋α（ただし、αは検知装置１１が正常に動作している場合の許容される動作遅延時間）の関係がある。すなわち、タイマＴＭ（ｉ，ｊ）は、検知装置１１が正常に動作している場合にＯＦＦ指示信号を最後に受け取った後、次にＯＦＦ指示信号を受け取るべき時刻までにＯＦＦ指示信号を受け取れなかった場合、対応する開閉器ＳＷ（ｉ，ｊ）にＯＦＦ指示信号を出力する。
【００６３】
タイマＴＭ（ｉ，ｊ）は、所定時間Ｔ２の経過前にＯＦＦ指示信号を受け取ると、計時をリセットし、新たな計時を開始する。従って、検知装置１１が正常に動作しており、所定時間Ｔ２の経過前にＯＦＦ指示信号が受け取れる限り、タイマは対応する開閉器ＳＷ（ｉ，ｊ）にＯＦＦ指示信号を出力することはない。
【００６４】
この変形例にかかる開閉システム１によれば、検知装置１１が故障し、開閉器ＳＷ（ｉ，ｊ）の各々にＯＦＦ指示信号が所定の時間間隔で出力されない場合、開閉器ＳＷ（ｐ，ｑ）の各々に対応するタイマＴＭ（ｉ，ｊ）により順次、検知装置１１の故障が検知され、開閉器ＳＷ（ｉ，ｊ）の開放が行われる。その結果、入力側装置２と出力側装置３の間の電路が遮断される。
【００６５】
［変形例２］
上述した実施形態においては、検知装置１１は複数の開閉器ＳＷ（ｉ，ｊ）の中から１つずつ点検対象の開閉器を選択する。すなわち、検知装置１１の指示に従い同時に２以上の開閉器が開閉動作を行うことはない。これに代えて、複数の開閉器が同時に開閉動作を行う構成が採用されてもよい。
【００６６】
図５Ａ及び図５Ｂ（以下、これらの図を総称して図５という）は、この変形例にかかる開閉システム１の検知装置１１が行う検知処理の一例の流れ図である。検知装置１１は、全ての開閉器ＳＷ（ｉ，ｊ）に閉止を指示する（ステップＡ０１）。続いて、検知装置１１はカウンタｑに１を設定する（ステップＣ０１）。
【００６７】
続いて、検知装置１１は開閉器ＳＷ（ｉ，ｑ）（ただし、ｉ＝２、３、・・・、ｎ）の各々に開放を指示する（ステップＣ０２）。すなわち、検知装置１１は、電路Ｒ（１）続を除く電路Ｒ（ｉ）の各々の第ｑ番目の開閉器の全てに対し、同時に開放を指示する。
【００６８】
続いて、検知装置１１はフィードバック信号ＦＢ（ｉ）（ただし、ｉ＝２、３、・・・、ｎ）の各々に基づいて、開閉器ＳＷ（ｉ，ｑ）（ただし、ｉ＝２、３、・・・、ｎ）の各々の故障（短絡故障）を検知する（ステップＣ０３）。
【００６９】
ステップＣ０３の検知において、開閉器ＳＷ（ｉ，ｑ）のいずれかの故障が検知された場合（ステップＣ０３：ＹＥＳ）、検知装置１１は全ての開閉器ＳＷ（ｉ，ｊ）（ただし、ｉ＝１、２、・・・、ｎ）に開放を指示し（ステップＢ０１）、検知結果を出力する（ステップＢ０２）。
【００７０】
ステップＣ０３の検知において、開閉器ＳＷ（ｉ，ｑ）のいずれの故障も検知されない場合（ステップＣ０３：ＮＯ）、検知装置１１は開閉器ＳＷ（ｉ，ｑ）（ただし、ｉ＝２、３、・・・、ｎ）の各々に閉止を指示する（ステップＣ０４）。すなわち、検知装置１１は、ステップＣ０２において開放を指示した電路Ｒ（１）続を除く電路Ｒ（ｉ）の各々の第ｑ番目の開閉器の全てに対し、同時に閉止を指示する。
【００７１】
続いて、検知装置１１はフィードバック信号ＦＢ（ｉ）（ただし、ｉ＝２、３、・・・、ｎ）の各々に基づいて、開閉器ＳＷ（ｉ，ｑ）（ただし、ｉ＝２、３、・・・、ｎ）の各々の故障（開放故障）を検知する（ステップＣ０５）。
【００７２】
ステップＣ０５の検知において、開閉器ＳＷ（ｉ，ｑ）のいずれかの故障が検知された場合（ステップＣ０５：ＹＥＳ）、検知装置１１は全ての開閉器ＳＷ（ｉ，ｊ）（ただし、ｉ＝１、２、・・・、ｎ）に開放を指示し（ステップＢ０１）、検知結果を出力する（ステップＢ０２）。
【００７３】
ステップＣ０５の検知において、開閉器ＳＷ（ｉ，ｑ）のいずれの故障も検知されない場合（ステップＣ０５：ＮＯ）、検知装置１１はカウンタｑがｍであるかを判定する（ステップＣ０６）。カウンタｑがｍでない場合（ステップＣ０６：ＮＯ）、検知装置１１はｑに１を加算し（ステップＣ０７）、ステップＣ０２以降の処理を繰り返す。これにより、電路Ｒ（２）〜電路Ｒ（ｎ）の各々が有する開閉器ＳＷ（ｉ，ｊ）のうち、第１番目の開閉器、第２番目の開閉器、・・・が順次、点検対象の開閉器として選択され、選択された複数の開閉器の点検が同時に行われる。
【００７４】
ステップＣ０６の判定において、カウンタｑがｍである場合（ステップＣ０６：ＹＥＳ）、検知装置１１はｑに１を設定し（ステップＣ０８）、開閉器ＳＷ（１，ｑ）に開放を指示する（ステップＣ０９）。続いて、検知装置１１はフィードバック信号ＦＢ（１）に基づいて、開閉器ＳＷ（１，ｑ）の故障（短絡故障）を検知する（ステップＣ１０）。
【００７５】
ステップＣ１０の検知において、開閉器ＳＷ（１，ｑ）の故障が検知された場合（ステップＣ１０：ＹＥＳ）、検知装置１１は全ての開閉器ＳＷ（ｉ，ｊ）（ただし、ｉ＝１、２、・・・、ｎ）に開放を指示し（ステップＢ０１）、検知結果を出力する（ステップＢ０２）。
【００７６】
ステップＣ１０の検知において、開閉器ＳＷ（１，ｑ）の故障が検知されない場合（ステップＣ１０：ＮＯ）、検知装置１１は開閉器ＳＷ（１，ｑ）に閉止を指示する（ステップＣ１１）。続いて、検知装置１１はフィードバック信号ＦＢ（１）に基づいて、開閉器ＳＷ（１，ｑ）の故障（開放故障）を検知する（ステップＣ１２）。
【００７７】
ステップＣ１２の検知において、開閉器ＳＷ（１，ｑ）の故障が検知された場合（ステップＣ１２：ＹＥＳ）、検知装置１１は全ての開閉器ＳＷ（ｉ，ｊ）（ただし、ｉ＝１、２、・・・、ｎ）に開放を指示し（ステップＢ０１）、検知結果を出力する（ステップＢ０２）。
【００７８】
ステップＣ１２の検知において、開閉器ＳＷ（１，ｑ）の故障が検知されない場合（ステップＣ１２：ＮＯ）、検知装置１１はカウンタｑがｍであるかを判定する（ステップＣ１３）。カウンタｑがｍでない場合（ステップＣ１３：ＮＯ）、検知装置１１はｑに１を加算し（ステップＣ１４）、ステップＣ０９以降の処理を繰り返す。これにより、電路Ｒ（１）が有する第１番目の開閉器、第２番目の開閉器、・・・が順次、点検対象の開閉器として選択され、選択された開閉器の点検が行われる。
【００７９】
ステップＣ１３の判定において、カウンタｑがｍである場合（ステップＣ１３：ＹＥＳ）、検知装置１１はステップＣ０１以降の処理を繰り返す。
【００８０】
この変形例にかかる開閉システム１によれば、上述した実施形態にかかる開閉システム１による場合と比較し、一度に複数の開閉器の故障点検が行われるため、全ての開閉器の故障点検に要する時間が短縮される。
【００８１】
なお、図５の流れ図に従う場合、ステップＣ０１〜Ｃ０７の処理において電路Ｒ（２）〜電路Ｒ（ｎ）の開閉器が点検対象の開閉器として選択され、ステップＣ０８〜Ｃ１４の処理において電路Ｒ（１）の開閉器が点検対象の開閉器として選択される。ステップＣ０１〜Ｃ０７の処理において点検対象として選択される開閉器を有する電路と、ステップＣ０８〜Ｃ１４の処理において点検対象として選択される開閉器を有する電路の選び方はこれに限られない。例えば、ステップＣ０１〜Ｃ０７の処理において電路Ｒ（１）〜電路Ｒ（ｋ）（ただし、ｋは１＜ｋ＜ｎである任意の自然数）の開閉器が点検対象の開閉器として選択され、ステップＣ０８〜Ｃ１４の処理において電路Ｒ（ｋ＋１）〜電路Ｒ（ｎ）の開閉器が点検対象の開閉器として選択されてもよい。
【００８２】
［変形例３］
上述した実施形態において、検知装置１１はいずれかの開閉器の故障を検知した場合、全ての開閉器に開放を指示する。いずれかの開閉器の故障が検知された場合、複数の電路の各々に関し、当該電路が有する少なくとも１つの開閉器に開放の指示が行われれば、入力側装置２と出力側装置３の間の通電が遮断される。従って、検知装置１１はいずれかの開閉器の故障を検知した場合、複数の電路の各々に関し、当該電路が有する少なくとも１つの開閉器に開放の指示を行う構成が採用されてもよい。例えば、検知装置１１がいずれかの開閉器の故障を検知した場合、複数の電路の各々に関し、当該電路が有する複数の開閉器のうち１つの開閉器（ただし、短絡故障が検知された開閉器を除く）に対する開放を指示してもよい。
【００８３】
［変形例４］
電路の数が３以上である場合、開閉システム１が、いずれかの開閉器の故障を検知した後も、開閉器の故障が検知されていない複数の電路において、検知処理（図３参照）を継続して実行する構成が採用されてもよい。
【００８４】
この変形例において、検知装置１１は、いずれかの開閉器の故障を検知した場合、当該開閉器と同じ電路の全ての開閉器に開放を指示する。その後、故障の検知された開閉器を有する電路を除く複数の電路において、検知処理を実行する。
【００８５】
［その他の変形例］
（１）上述した実施形態において、複数の電路の各々が有する開閉器の数は同数である。複数の電路の各々が有する開閉器の数は異なってもよい。
【００８６】
（２）上述した実施形態において、検知装置１１は点検対象の開閉器を図１に示す開閉器の配置における縦方向優先で順次、選択する。すなわち、検知装置１１は第１番目の電路の第１番目の開閉器、第２番目の電路の第１番目の開閉器、・・・、第ｎ番目の電路の第１番目の開閉器、という順序で点検対象の開閉器を選択した後、第１番目の電路の第２番目の開閉器、第２番目の電路の第２番目の開閉器、・・・、第ｎ番目の電路の第２番目の開閉器、という順序で点検対象の開閉器を選択する。
【００８７】
検知装置１１が点検対象の開閉器を選択する順序はこれに限られない。例えば、検知装置１１が、点検対象の開閉器を図１に示す開閉器の配置における横方向優先で順次、選択する構成が採用されてもよい。この場合、検知装置１１は第１番目の電路の第１番目の開閉器、第１番目の電路の第２番目の開閉器、・・・、第１番目の電路の第ｍ番目の開閉器、という順序で点検対象の開閉器を選択した後、第２番目の電路の第１番目の開閉器、第２番目の電路の第２番目の開閉器、・・・、第２番目の電路の第ｍ番目の開閉器、という順序で点検対象の開閉器を選択する。
【００８８】
（３）上述した実施形態において、検知装置１１及び指示装置１２は故障の検知結果を表示により通知する。検知装置１１及び指示装置１２が故障の検知結果を通知する方法は表示に限られず、アラーム音や音声メッセージ等により故障の検知結果が通知されてもよい。
【００８９】
（４）上述した実施形態において、検知装置１１及び指示装置１２による故障の検知結果はユーザに対し出力される。検知装置１１及び指示装置１２による故障の検知結果の出力先はユーザに限られない。例えば、開閉システム１が、外部の装置にデータを出力する出力部を備え、検知装置１１又は指示装置１２による故障の検知結果を示すデータを当該出力部により外部の装置に出力する構成が採用されてもよい。例えば、開閉システム１が備える出力部が、検知装置１１又は指示装置１２による故障の検知結果を示すデータを、無線または有線の通信ネットワークを介して遠隔の装置に送信してもよい。
【００９０】
（５）上述した実施形態において、検知装置１１はいずれかの開閉器の故障を検知した場合、全ての開閉器に開放を指示する。また、指示装置１２は、検知装置１１の故障を検知した場合、全ての開閉器に開放を指示する。検知装置１１及び指示装置１２が故障を検知した場合に行う処理はこれに限られない。例えば、故障の検知結果の通知のみが行われ、開閉器に対する開放の指示が行われなくてもよい。
【符号の説明】
【００９１】
１…開閉システム、２…入力側装置、３…出力側装置、１１…検知装置、１２…指示装置、１１１…演算部、１１２…記憶部、１１３…入出力ＩＦ部、１１４…ＵＩ部、１２１…演算部、１２２…記憶部、１２３…入出力ＩＦ部、１２４…表示部
【図１】
2018092822.tif 000003
【図２】
2018092822.tif 000004
【図３】
2018092822.tif 000005
【図４】
2018092822.tif 000006
【図５Ａ】
2018092822.tif 000007
【図５Ｂ】
2018092822.tif 000008